(57)【要約】【課題】弁体と弁座部材との間の小さいスペースにインキの固形分が沈降固化することを回避でき、その結果、インキ出不良の発生を防止できる筆記具を提供する。【解決手段】ペン体２と、ペン体２が前端部に前後方向に移動可能に保持される前軸３と、前軸３が前端部外面に螺合され且つ内部にインキ貯溜部を有する後軸４と、後軸４の前端開口部に配置され且つペン体２を後方に押圧することにより開口する弁装置５とを備える。係止壁部９５より前方の筒状部９３の側壁に、インキ貯溜部内と弁収容筒９内とを連通するインキ流通孔９７が貫設される。弁体６の後端部に、前方に開口する有底筒状のカップ状部６４が設けられる。カップ状部６４の前端が当接壁部９４に当接状態にあるときカップ状部６４によってインキ流通孔９７が外側から閉鎖される。【選択図】  図２
2018086787.tif 000002
【特許請求の範囲】
【請求項１】
ペン体と、前記ペン体が前端部に前後方向に移動可能に保持される前軸と、前記前軸が前端部外面に螺合され且つ内部にインキ貯溜部を有する後軸と、前記後軸の前端開口部に配置され且つ前記ペン体を後方に押圧することにより開口する弁装置と、前記弁装置の後方のインキ貯溜部内に収容される撹拌部材とを備え、
前記弁装置が、前記ペン体の後端に当接される棒状の弁体と、前記弁体との密接離間作動により開閉自在の弁孔を備える弁座部材と、前記弁体を前方に付勢する弾発体と、前記弁体、前記弁座部材及び前記弾発体を収容する弁収容筒とを備えた筆記具であって、
前記弁収容筒が、前記後軸の前端開口部よりインキ貯溜部内に突出する筒状部を備え、
前記筒状部の後端に弾発体の後端が係止される係止壁部が形成され、
前記係止壁部に前記弁体の後部が挿通するガイド孔が形成され、
前記係止壁部より前方の筒状部の側壁に、前記インキ貯溜部内と前記弁収容筒内とを連通するインキ流通孔が貫設され、
前記弁体の後端部が前記ガイド孔より後方に突出され、前記弁体の後端部に、前方に開口する有底筒状のカップ状部が設けられ、前記カップ状部が前記筒状部の外周面を覆うように設けられ、
前記インキ流通孔の前方に位置する前記弁収容筒の外壁または前記後軸の内壁に、前記カップ状部の前端が当接可能な環状の当接壁部が形成され、前記カップ状部の前端が前記当接壁部に当接状態にあるとき前記カップ状部によって前記インキ流通孔が外側から閉鎖されることを特徴とする筆記具。
【請求項２】
前記弁体と前記弁座部材とが密接状態にあるとき、前記カップ状部の前端と前記当接壁部とが当接状態にある請求項１記載の筆記具。
【発明の詳細な説明】
【技術分野】
【０００１】
本発明は、筆記具に関する。詳細には、ペン体を後方に押圧することにより弁装置を開口させ、インキ貯溜部内のインキをペン体に供給するタイプの筆記具に関する。
【背景技術】
【０００２】
従来、例えば、特許文献１には、弁体を作動させてインキ収納室から、ペン先にインキを導出するタイプの顔料インキ使用の筆記具において、前記インキ収納室内に小孔を有する筒体状のフロートバルブを前記弁体を覆うようにして移動自在に配置したことを特徴とする顔料インキ筆記具が記載されている。
【先行技術文献】
【特許文献】
【０００３】
【特許文献１】実公昭６３−１９１７５号公報
【発明の概要】
【発明が解決しようとする課題】
【０００４】
前記特許文献１の筆記具は、フロートバルブが小孔を有するため、フロートバルブの前方にインキが導出可能であるため、ペン先下向きに状態で長期間保管したとき、弁体と弁座との間の小さいスペースにインキの固形分が沈降し固化することがあり、その場合、撹拌ボールでは固形分を再溶解できず、インキ出不良が発生するおそれがある。
【０００５】
本発明は、前記従来の問題点を解決するものであって、ペン体下向き状態で長期間保管したとしても、弁体と弁座部材との間の小さいスペースにインキの固形分が沈降固化することを回避でき、その結果、インキ出不良の発生を防止できる筆記具を提供しようとするものである。
【０００６】
尚、本発明において、「前」とはペン体側を指し、「後」とはその反対側を指す。
【課題を解決するための手段】
【０００７】
本願の第１の発明に係る筆記具は、ペン体と、前記ペン体が前端部に前後方向に移動可能に保持される前軸と、前記前軸が前端部外面に螺合され且つ内部にインキ貯溜部を有する後軸と、前記後軸の前端開口部に配置され且つ前記ペン体を後方に押圧することにより開口する弁装置と、前記弁装置の後方のインキ貯溜部内に収容される撹拌部材とを備え、前記弁装置が、前記ペン体の後端に当接される棒状の弁体と、前記弁体との密接離間作動により開閉自在の弁孔を備える弁座部材と、前記弁体を前方に付勢する弾発体と、前記弁体、前記弁座部材及び前記弾発体を収容する弁収容筒とを備えた筆記具であって、前記弁収容筒が、前記後軸の前端開口部よりインキ貯溜部内に突出する筒状部を備え、前記筒状部の後端に弾発体の後端が係止される係止壁部が形成され、前記係止壁部に前記弁体の後部が挿通するガイド孔が形成され、前記係止壁部より前方の筒状部の側壁に、前記インキ貯溜部内と前記弁収容筒内とを連通するインキ流通孔が貫設され、前記弁体の後端部が前記ガイド孔より後方に突出され、前記弁体の後端部に、前方に開口する有底筒状のカップ状部が設けられ、前記カップ状部が前記筒状部の外周面を覆うように設けられ、前記インキ流通孔の前方に位置する前記弁収容筒の外壁または前記後軸の内壁に、前記カップ状部の前端が当接可能な環状の当接壁部が形成され、前記カップ状部の前端が前記当接壁部に当接状態にあるとき前記カップ状部によって前記インキ流通孔が外側から閉鎖されることを要件とする。
【０００８】
前記第１の発明に係る筆記具は、前記構成により、ペン体下向き状態で長期間保管したとしても、弁体と弁座部材との間の小さいスペースにインキの固形分が沈降固化することを回避でき、その結果、インキ出不良の発生を防止できる。前記第１の発明に係る筆記具は、インキ流通孔を外側から閉鎖するため、インキ流通孔内壁にインキの固形分が固化してインキ流通孔のインキ流通性を低下させることを回避できる。
【０００９】
本願の第２の発明に係る筆記具は、前記第１の発明に係る筆記具において、前記弁体と前記弁座部材とが密接状態にあるとき、前記カップ状部の前端と前記当接壁部とが当接状態にあることを要件とする。
【００１０】
前記第２の発明に係る筆記具は、前記構成により、ペン体下向き状態で長期間保管したとしても、弁体と弁座部材との間の小さいスペースにインキの固形分が沈降固化することを確実に回避できる。
【発明の効果】
【００１１】
本発明の筆記具は、ペン体下向き状態で長期間保管したとしても、弁体と弁座部材との間の小さいスペースにインキの固形分が沈降固化することを回避でき、その結果、インキ出不良の発生を防止できる。
【図面の簡単な説明】
【００１２】
【図１】本発明の実施の形態の弁孔及びインキ流通孔の閉鎖状態を示す縦断面図である。
【図２】図１の弁孔及びインキ流通孔の開口状態を示す縦断面図である。
【発明を実施するための形態】
【００１３】
本発明の筆記具の実施の形態を図面に従って説明する。（図１及び図２参照）
【００１４】
本発明の筆記具1は、ペン体２と、前記ペン体２が前端部に前後方向に移動可能に保持される前軸３と、前記前軸３が前端部外面に螺合され且つ内部にインキ貯溜部を有する後軸４と、前記後軸４の前端開口部に配置され且つ前記ペン体２を後方に押圧することにより開口する弁装置５と、前記弁装置５の後方のインキ貯溜部内に収容される撹拌部材１１とを備える。
【００１５】
・前軸
前軸３は、両端が開口された先細円筒体であり、合成樹脂の射出成形により得られる。前軸３の前端部内面には、ペン体保持部３１が形成される。ペン体保持部３１は、前後方向に延びる複数本の縦リブを備え、縦リブによりペン体２が摺動可能に保持される。また、前軸３の後端部内面には、螺合部３３が形成される。前軸３の後端部内面の螺合部３３が、後軸４の前端部外面の螺合部４１と螺着される。
【００１６】
ペン体保持部３１の後方且つ螺合部３３の前方の前軸３の内周面には吸収体保持部３２が形成され、該吸収体保持部３２にインキ吸収体１０の外周面が圧接保持される。
【００１７】
前軸３の螺合部３３の前方の内面には環状段部３４が形成される。前軸３内面の環状段部３４の前方には、係止段部３５が形成される。係止段部３５にインキ吸収体１０の前面が係止される。
【００１８】
・後軸
後軸４は、前端が開口され且つ後端が閉鎖された有底筒状体により形成され、合成樹脂のブロー成形により得られる。後軸４の前端部は、縮径され、その外面に螺合部４１が形成される。後軸４内には、インキ貯溜部が形成され、インキ貯溜部内にインキ及び撹拌部材１１（球状体）が収容される。
【００１９】
・ペン体
ペン体２は、棒状の繊維束の樹脂加工体である。ペン体２の両端部が先細状に形成される。ペン体２の先細状の両端部の頂部に凸曲面が形成される。
【００２０】
・インキ吸収体
インキ吸収体１０は、ペン体側からのインキの過剰流出を抑えるためにインキ貯溜部からのインキを保持するものである。インキ吸収体１０は、合成樹脂の弾性を有する連続気孔体（いわゆるスポンジ）からなる。インキ吸収体１０は、ペン体２が貫通する中心孔を備え、円環状に形成される。例えば、インキ吸収体１０は、ポリエステル系ウレタンフォーム、ポリエーテル系ウレタンフォームから得られる。
【００２１】
・弁装置
弁装置５は、ペン体２の後端に当接される弁体６と、弁体６との密接離間作動により開閉自在の弁孔７４を備える弁座部材7と、弁体６を前方に付勢する弾発体８と、弁体６、弁座部材7及び弾発体８を収容する弁収容筒９とからなる、
【００２２】
・弁体
弁体６は、円筒状または円柱状の前部６１と、該前部６１より後方に一体に形成され且つ径方向外方に環状に突出される弁部６２と、該弁部６２より後方に一体に形成される円筒状または円柱状の後部６３とからなる。弁体６は合成樹脂の射出成形により得られる。
【００２３】
・カップ状部
弁体６の後端部（弁体６の後部６３の後端部）がガイド孔９６より後方に突出される。弁体６の後端部に、前方に開口する有底円筒状のカップ状部６４が、弁収容筒９の小径筒状部９３の外周面を覆うように設けられる。カップ状部６４は、前方に開口する大径部６４ａと、該大径部６４ａに一体に連設される底壁部６４ｂと、該底壁部６４ｂに一体に連設され且つ該底壁部６４ｂより後方に突出する小径部６４ｃと、底壁部６４ｂの中心に貫設される取付孔６４ｄとを備える。カップ状部６４の取付孔６４ｄ内面と弁体６の後部６３外面とが嵌合固定される。カップ状部６４は孔や切り欠き備えず、前端が当接壁部９４に環状に当接された状態で、インキ流通孔９７を完全に閉鎖する。
【００２４】
・弁座部材
弁座部材7は、両端が開口された円筒体であり、合成樹脂の射出成形により得られる。弁座部材7は、前端に径方向外方に突出された環状の鍔部７１が一体に形成される。鍔部７１より後方に筒状部７２が一体に形成される。筒状部７２の後端内面には、径方向内方に突出する座部７３が一体に形成される。座部７３の中心には弁孔７４が前後方向に貫設される。座部７３に、弁体６の弁部６２が密接離間可能である。
【００２５】
・弾発体
弾発体８は圧縮コイルスプリングよりなる。弾発体８の内部に、弁体６の後部６３が挿通される。弾発体８の前端が、弁体６の弁部６２の後面に係止され、弁体６が前方に付勢される。弾発体８の後端は、弁収容筒９の係止壁部９５に係止される。
【００２６】
・弁収容筒
弁収容筒９は、両端が開口された円筒体であり、合成樹脂の射出成形により得られる。弁収容筒９は、前端に径方向外方に突出された環状の鍔部９１が一体に形成される。鍔部９１より後方に大径筒状部９２が一体に形成される。大径筒状部９２の後方に小径筒状部９３が一体に形成される。大径筒状部９２と小径筒状部９３との間には、段状の当接壁部９４が形成される。小径筒状部９３の後端内面には、径方向内方に突出する係止壁部９５が一体に形成される。係止壁部９５の中心には、ガイド孔９６が前後方向に貫設され、ガイド孔９６に弁体６の後部６３が挿通される。小径筒状部９３の側壁には、複数のインキ流通孔９７が径方向に貫設される。弁収容筒９の大径筒状部９２の前端開口部内面には、弁座部材7の筒状部７２の外面が圧入固着される。弁収容筒９の鍔部９１前面は、弁座部材7の鍔部７１の後面に密接される。弁収容筒９の鍔部９１後面は後軸４の前端に密接される。弁収容筒９の大径筒状部９２の外面は後軸４の前端開口部内面に圧入固着される。前軸３の環状段部３４が、弁座部材7の鍔部７１前面に密接される。前軸３と後軸４との螺着により、前軸３の環状段部３４と後軸４の前端との間で、弁座部材7の鍔部７１と弁収容筒９の鍔部９１が前後方向に挟持される。弁収容筒９内には、弁体６、弁座部材7及び弾発体８が収容され、それにより、ユニット化された弁装置５を得る。
【００２７】
・弁孔及びインキ流通孔の閉鎖状態
図１に示すように、非使用時、弾発体８の前方付勢により、弁体６の弁部６２が弁座部材7の座部７３に密接され弁孔７４が閉鎖される。それと同時に、カップ状部６４の前端が、当接壁部９４に環状に当接され、インキ流通孔９７が外側より閉鎖される。
【００２８】
・弁孔及びインキ流通孔の開口状態
図２に示すように、使用時、弾発体８の弁体６への前方付勢に抗して、ペン体２を後方に押圧することにより、弁体６が後退され、弁体６の弁部６２が弁座部材7の座部７３から離間し、弁体６の弁部６２と弁座部材7の座部７３との密接状態が解除され、弁孔７４が開口される。それと同時に、カップ状部６４の前端が、当接壁部９４から離間し、インキ流通孔９７の閉鎖状態が解除され、インキ流通孔９７がインキ貯溜部内に開口される。これにより、インキ貯溜部からのインキが、インキ流通孔９７を通って弁収容筒９内に供給され、さらに、そのインキが、弁収容筒９内から弁孔７４を通ってペン体２に供給される。
【００２９】
本実施の形態の筆記具1は、ペン体２と、前記ペン体２が前端部に前後方向に移動可能に保持される前軸３と、前記前軸３が前端部外面に螺合され且つ内部にインキ貯溜部を有する後軸４と、前記後軸４の前端開口部に配置され且つ前記ペン体２を後方に押圧することにより開口する弁装置５と、前記弁装置５の後方のインキ貯溜部内に収容される撹拌部材１１とを備え、前記弁装置５が、前記ペン体２の後端に当接される棒状の弁体６と、前記弁体６との密接離間作動により開閉自在の弁孔７４を備える弁座部材7と、前記弁体６を前方に付勢する弾発体８と、前記弁体６、前記弁座部材7及び前記弾発体８を収容する弁収容筒９とを備えた筆記具であって、前記弁収容筒９が、前記後軸４の前端開口部よりインキ貯溜部内に突出する筒状部９３（小径筒状部）を備え、前記筒状部９３の後端に弾発体８の後端が係止される係止壁部９５が形成され、前記係止壁部９５に前記弁体６の後部６３が挿通するガイド孔９６が形成され、前記係止壁部９５より前方の筒状部９３の側壁に、前記インキ貯溜部内と前記弁収容筒９内とを連通するインキ流通孔９７が貫設され、前記弁体６の後端部が前記ガイド孔９６より後方に突出され、前記弁体６の後端部に、前方に開口する有底筒状のカップ状部６４が設けられ、前記カップ状部６４が前記筒状部９３の外周面を覆うように設けられ、前記インキ流通孔９７の前方に位置する前記弁収容筒９の外壁または前記後軸４の内壁に、前記カップ状部６４の前端が当接可能な環状の当接壁部９４が形成され、前記カップ状部６４の前端が前記当接壁部９４に当接状態にあるとき前記カップ状部６４によって前記インキ流通孔９７が外側から閉鎖される。
【００３０】
それにより、本実施の形態の筆記具1は、前記構成により、ペン体下向き状態で長期間保管したとしても、弁体６と弁座部材７との間の小さいスペースにインキの固形分が沈降固化することを回避でき、その結果、インキ出不良の発生を防止できる。本実施の形態筆記具１は、インキ流通孔９７を外側から閉鎖するため、インキ流通孔９７内壁にインキの固形分が固化してインキ流通孔９７のインキ流通性を低下させることを回避できる。
【００３１】
本実施の形態に筆記具１は、前記弁体６と前記弁座部材7とが密接状態にあるとき、前記カップ状部６４の前端と前記当接壁部９４とが当接状態にある。それにより、本実施の形態に筆記具１は、ペン体下向き状態で長期間保管したとしても、弁体６と弁座部材７との間の小さいスペースにインキの固形分が沈降固化することを確実に回避できる。
【符号の説明】
【００３２】
１  筆記具
２  ペン体
３  前軸
３１  ペン体保持部
３２  吸収体保持部
３３  螺合部
３４  環状段部
３５  係止段部
４  後軸
４１  螺合部
５  弁装置
６  弁体
６１  前部
６２  弁部
６３  後部
６４  カップ状部
６４ａ  大径部
６４ｂ  底壁部
６４ｃ  小径部
６４ｄ  取付孔
７  弁座部材
７１  鍔部
７２  筒状部
７３  座部
７４  弁孔
８  弾発体
９  弁収容筒
９１  鍔部
９２  大径筒状部
９３  小径筒状部
９４  当接壁部
９５  係止壁部
９６  ガイド孔
９７  インキ流通孔
１０  インキ吸収体
１１  撹拌部材
【図１】
2018086787.tif 000003
【図２】
2018086787.tif 000004